(57)【要約】【課題】フィルタエレメントのエンドプレートとガスケットの固着を強固にする。【解決手段】円筒状に形成された濾材３と、この濾材３を挟持するエンドプレート４と、このエンドプレート４の開孔６を囲むように配設されるガスケット５を有するフィルタエレメント１において、エンドプレート４の外側面に開孔６を同心円状に囲む複数の溝４ａを形成し、ガスケット５のエンドプレート４との固着面にエンドプレート４に形成された複数の溝４ａに対応する複数の突起部５ａを形成して、エンドプレート４の複数の溝４ａとガスケット５の複数の突起部５ａをそれぞれ嵌合させて固着させる。【選択図】　図１
2004137966.tif 000002
【特許請求の範囲】
【請求項１】
円筒状ケースと、前記円筒状ケース内に配設されたフィルタエレメントとを有し、前記円筒状ケースに形成された流入孔から前記円筒状ケース内に導入されたオイルを前記フィルタエレメントの内部を通過させて濾過し、前記円筒状ケースに形成された流出孔から流出させるように構成したオイルフィルタにおいて、
前記フィルタエレメントが、円筒状に形成された濾材と、前記濾材の円筒軸方向の一端を覆って取り付けられるとともに前記濾材の内周空間に連通する開孔を有するエンドプレートと、前記エンドプレートに前記開孔を囲んで前記エンドプレートの外側面に配設されたリング状のガスケットとを有し、
前記フィルタエレメントを、前記円筒状ケースの内側の前記流入孔若しくは前記流出孔が形成されている部分に前記ガスケットを当接させて前記流入孔若しくは前記流出孔を前記フィルタエレメントの内周面で囲まれた内周空間に前記開孔を介して連通するように配設し、
前記エンドプレートが、前記エンドプレートの外側面に前記開孔を囲む同心円状に形成された複数の溝を有し、
前記ガスケットが、前記エンドプレートと固着される固着面に形成され前記複数の溝に対応した複数の突起部を有し、
前記エンドプレートの前記複数の溝と前記ガスケットの前記複数の突起部がそれぞれ嵌合して前記エンドプレートに前記ガスケットが固着されていることを特徴とするフィルタエレメント。
【請求項２】
前記ガスケットの外周面が、内周方向に向かって突出するテーパ状に形成されていることを特徴とする請求項１に記載のフィルタエレメント。
【発明の詳細な説明】
【０００１】
【発明の属する技術分野】
本発明は、オイルフィルタに用いられるフィルタエレメントに関し、特に詳細には、このフィルタエレメントに取り付けられるガスケットに関する。
【０００２】
【従来の技術】
エンジンに取り付けられるオイルフィルタは、円筒状のケース内に、環状に形成されたフィルタエレメントを収容して構成される。このオイルフィルタは、例えば、円筒状ケースの内部におけるフィルタエレメントの外周に囲まれた空間（以下、「外周空間」と呼ぶ。）にオイルを導入し、そのオイルをフィルタエレメントの内部をその内周に向かって透過させて濾過し、さらに、円筒状ケースの内部におけるフィルタエレメントの内周に囲まれた空間（以下、「内周空間」と呼ぶ。）に繋がる流出口から流出させるように構成されている（例えば、特許文献１参照。）。
【０００３】
このため、オイルフィルタにおいては、フィルタエレメントの外周空間に導入された異物等を含むオイルが、フィルタエレメントで異物等が除去された内周空間のオイルに混入しないように、図４に示すように、フィルタエレメント５１の両端にガスケット５２，５２を装着しており、このガスケット５２，５２をオイルフィルタの円筒状のケースに当接させて内周空間５６と外周空間５７を隔離している。なお、フィルタエレメント５１は、円筒状のインナーチューブ５３の周りに配設された濾材５４の円筒軸方向の両端からこのインナーチューブ５３と濾材５４を挟持するリング状のエンドプレート５５，５５を有して構成され、エンドプレート５５，５５の外側面においてその内周を囲むようにガスケット５２，５２が接着剤で固着されている。
【０００４】
【特許文献１】実開平６−２８２０７号公報（第１図）
【０００５】
【発明が解決しようとする課題】
しかしながら、オイルフィルタの外周空間に導入されたオイルの圧力は、ガスケットとエンドプレートの固着面に対しても掛かっており、この固着面にオイルが入り込もうとする力がかかる。このため、ガスケットとエンドプレートの固着状態によっては、外周空間に導入されたオイルによりガスケットがエンドプレートより剥がされたり、その位置がずれたりすることになり、ガスケットによるシール効果が機能しなくなるという課題があった。
【０００６】
本発明はこのような課題に鑑みなされたものであり、エンドプレートの外側面に複数の溝を形成するとともに、この溝と嵌合する突起部をガスケットに形成してエンドプレートとガスケットを固着することにより、ガスケットの固着の強度を高めるとともにずれを防止しシール効果を向上させたフィルタエレメントを提供することを目的とする。
【０００７】
【課題を解決するための手段】
前記課題を解決するために、本発明に係るフィルタエレメントは、円筒状のケース（例えば、実施形態におけるフィルタ本体１１とケース１２）と、この円筒状のケース内に配設されたフィルタエレメントとを有し、円筒状ケースに形成された流入孔から円筒状ケース内に導入されたオイルをフィルタエレメントの内部を通過させて濾過し、円筒状ケースに形成された排出孔から排出させるように構成したオイルフィルタにおいて、円筒状に形成された濾材と、この濾材の円筒軸方向の一端を覆って取り付けられるとともに濾材の内周空間に連通する開孔を有するエンドプレートと、このエンドプレートの開孔を囲んでエンドプレートの外側面に配設されたリング状のガスケットとを有して構成される。そして、このフィルタエレメントを、円筒状ケースの内側の流入孔若しくは流出孔が形成されている部分にガスケットを当接させて流入孔若しくは流出孔をフィルタエレメントの内周面で囲まれた内周空間に開孔を介して連通するように配設する。さらに、エンドプレートが、このエンドプレートの外側面に開孔を囲む同心円状に形成された複数の溝を有し、ガスケットが、エンドプレートと固着される固着面にエンドプレートの複数の溝に対応した複数の突起部を有し、エンドプレートの複数の溝とガスケットの複数の突起部がそれぞれ嵌合してエンドプレートにガスケットが固着される。
【０００８】
このような構成によると、エンドプレートに形成された溝とガスケットに形成された突起部が嵌合して固着されるためエンドプレートとガスケットの固着が強固となり、ガスケットが剥がれにくくなるとともに、ガスケットがずれることが無くなり、シール効果が高くなる。
【０００９】
また、ガスケットの外周面が、内周方向に向かって突出するテーパ状に形成されることが好ましく、このように構成することにより、ガスケットの外周面にかかるオイルの圧力がこのガスケットをエンドプレートに付勢するような力として働くため、エンドプレートに対してガスケットはより強固に固着することとなり、シール効果が高くなる。
【００１０】
【発明の実施の形態】
以下、本発明の好ましい実施形態について図面を参照して説明する。図１〜３は本発明に係るフィルタエレメント及びこのフィルタエレメントが用いられるオイルフィルタを示している。オイルフィルタ１０は、フィルタ本体１１と、有底円筒状のケース１２とから構成されており、このフィルタ本体１１とケース１２とで構成される空間にフィルタエレメント１を有している。
【００１１】
フィルタエレメント１は、円筒状のインナーチューブ２と、このインナーチューブ２の外周面に沿って、蛇腹状に折り畳まれて環状に丸められた菊花状の濾紙で形成された濾材３と、このインナーチューブ２と濾材３を円筒軸方向の両端から挟持するエンドプレート４，４とから構成されている。エンドプレート４，４はリング状に形成されており、インナーチューブ２と濾材３で構成される円筒の内周空間７に連通する開孔６，６を有している。なお、インナーチューブ２は図１に示すように格子状の枠で構成されているため、オイルを外周空間８から濾材３の内部を内周空間７に向かって透過させて濾過することが可能である。
【００１２】
エンドプレート４の外側面には、開孔６を囲むようにガスケット５が接着剤で固着されている。このとき、エンドプレート４の外側面には開孔６を同心円状に囲む複数の溝４ａ（ここでは、３本）が形成されており、また、ガスケット５のエンドプレート４との固着面には溝４ａに対応して開孔６を同心円状に囲む複数の突起部５ａ（ここでは３本）が形成されおり、この溝４ａと突起部５ａがそれぞれ嵌合してエンドプレート４にガスケット５が固着されている。またガスケット５の外周面５ｂは、内周方向に向かって突出するからテーパ状に形成されている。
【００１３】
フィルタ本体１１は筒部１３を有しており、この筒部１３の内側面には、突出部１４と、この突出部１４を囲んでリング状に突出した支持部１５が形成されており、この支持部１５のリング状の形状は、フィルタエレメント１に配設されたガスケット６の形状と対応している。また、支持部１５の外側にはフィルタ本体１１内に向かって延びる流入空間１６が筒部１３の内側面と連通して形成されており、さらに、流入空間１６の内側面からフィルタ本体１１の外側面に貫通する流入孔１７が形成されている。また、突出部１４と支持部１５の間からフィルタ本体１１内に向かって延びる流出空間１８が筒部１３の内側面と連通して形成されており、さらに、流出空間１８の内側面からフィルタ本体１１の外側面に貫通する流出孔１９が形成されている。一方、ケース１２の底面には、係止孔１２ａが形成されている。
【００１４】
フィルタエレメント１は、いずれか一端の開孔６にフィルタ本体１１の突出部１４が挿入されるように配設されており、この開孔６側のガスケット５が支持部１５と当接している。そして、フィルタエレメント１の他端の開孔６にこの開孔６から内周空間７の方向に突出した突出部を有する蓋板２１が配設され、蓋板２１とこの開孔６側のガスケット５が当接している。さらに、蓋板２１とケース１２の間にばね２２が配設されている。なお、蓋板２１には貫通孔２１ａが形成されており、また、突出部１４にはボルト孔１４ａが形成されている。そして、係止板２４を介してケース１２の係止孔１２ａに突出するように貫通孔２０ａが形成された補助板２０の貫通孔２０ａにボルト２３を通すとともに、ケース１２の係止孔１２ａにボルト２３を通し、さらに、このボルト２３をばね２２及び蓋板２１の貫通孔２１ａを通してフィルタエレメント１の内周空間７に突出している突出部１４のボルト孔１４に螺挿することによりオイルフィルタ１０にフィルタエレメント１を固定する。
【００１５】
このとき、フィルタ本体１１の筒部１３とケース１２の接合部にシール部材２５が、また、蓋板２１の貫通孔２１ａとボルト２３の間にシール部材２６が、さらに、ケース１２の開孔１２ａに突出した補助板２０の貫通孔２０ａとボルト２３の間にシール部材２７がそれぞれ装着されている。
【００１６】
このように構成することにより、ばね２２が蓋板２１に付勢し、そのため蓋板２１がフィルタエレメント１の一端のガスケット５に付勢し、さらに、フィルタエレメント１の他端のガスケット５がフィルタ本体１１に形成された支持部１５に付勢されるため、フィルタエレメント１の内周面と蓋板２１とで囲まれた内周空間７が形成され、ケース１２とフィルタエレメント１の外周面との間に外周空間８が形成される。そして、それぞれの空間７，８は濾材３を介してフィルタエレメント１で区切られている。なお、外周空間８は、流入空間１６を介して流入孔１７と連通し、内周空間７は、流出空間１８を介して流出孔１９と連通している。
【００１７】
このオイルフィルタ１０の流入孔１７からオイルを流入させると、外周空間８に導入されたオイルが、濾材３を透過して濾過され、内周空間７を経由して流出孔１９から異物等が取り除かれたオイルとして流出する。
【００１８】
以上に説明したように、フィルタエレメント１のガスケット５を構成することにより、エンドプレート４の外側面に形成された溝４ａとガスケット５に形成された突起部５ａが嵌合して固着されるためエンドプレート４とガスケット５の固着が強固となり、ガスケット５が剥がれにくくなるとともに、すれることがなくなり、このガスケット５によるシール効果が高くなる。また、ガスケット５の外周面５ｂをエンドプレート４との固着面側から内周方向に向かって突出するテーパ状に形成しているため、外周空間８に導入されたオイルがガスケット５の外周面５ｂに掛ける圧力が、ガスケット５をエンドプレート４に付勢する方向に働くため、ガスケット５がより剥がれにくくなり、シール効果が高くなる。
【００１９】
なお、ケース１２には、フィルタエレメント１の交換等の際に内部に溜まったオイルを抜くための排出孔２８が形成されている。また、このフィルタエレメント１は対称な形状に形成されているため、いずれの開孔６を突出部１４に挿入してもフィルタ本体１１に取り付け可能であり、フィルタエレメント１の取り付けの際の作業効率を向上させることができる。
【００２０】
以上の実施例では、濾材３の形状及び材質は、上記のように菊花状に形成された濾紙に限られるものではなく、所定の厚さを有したグラスファイバー、不織布等によって円筒状に形成したものでも良く、あるいは、これらの濾材を組み合わせて構成したものでも良い。また、以上の実施例では、フィルタエレメント１の外周空間８からオイルを導入して、濾材３で濾過した後、濾過されたオイルを内周空間７から流出させるように構成しているが、内周空間７にオイルを導入して、外周空間８から流出させるように構成することも可能である。
【００２１】
【発明の効果】
以上の説明から明らかなように、本発明に係るフィルタエレメントによれば、エンドプレートに形成された複数の溝と、ガスケットのエンドプレートとの固着面にこの溝に嵌合するように形成された複数の突起部が、それぞれ嵌合して固着されるため、エンドプレートにガスケットが強固に固着されるため、剥がれにくくなるとともに、ずれることがなくなり、シール効果が向上する。さらに、ガスケットの外周面を内周方向に向かって突出するテーパ状に形成することにより、オイルからこのガスケットの外周面に掛かる圧力がガスケットをエンドプレートに付勢するように働くため、ガスケットがエンドプレートにより強固に固着するため、シール効果をより向上させることができる。
【図面の簡単な説明】
【図１】本発明に係るフィルタエレメントの断面図である。
【図２】本発明に係るフィルタエレメントが装着されるオイルフィルタの断面図である。
【図３】本発明に係るフィルタエレメントが装着されるオイルフィルタの別の角度からの断面図である。
【図４】従来のフィルタエレメントの断面図である。
【符号の説明】
１　フィルタエレメント
３　濾材
４　エンドプレート
４ａ　溝
５　ガスケット
５ａ　突起部
５ｂ　側面
６　開孔
１０　オイルフィルタ
【図１】
2004137966.tif 000003
【図２】
2004137966.tif 000004
【図３】
2004137966.tif 000005
【図４】
2004137966.tif 000006